(57)【要約】【課題】軽量で優れた断熱効果を有する断熱パネルを提供すること。【解決手段】第１の面板１と第２の面板２との間に、合成樹脂発泡体によって形成された格子部３が挟持された断熱パネルＰであって、格子部３によって形成された複数の区画Ｓでは、隣接する区画Ｓ間の空気の流れが遮断されているとともに、第１の面板１の外面と内面および第２の面板２の外面と内のうちの少なくともいずれかの面に断熱塗料が塗布された断熱パネルＰとする。【選択図】図１
2015155591.tif 000002
【特許請求の範囲】
【請求項１】
第１の面板と第２の面板との間に、合成樹脂発泡体によって形成された格子部が挟持された断熱パネルであって、
格子部によって形成された複数の区画では、隣接する区画間の空気の流れが遮断されているとともに、第１の面板の外面と内面および第２の面板の外面と内面のうちの少なくともいずれかの面には断熱塗料が塗布されていることを特徴とする断熱パネル。
【請求項２】
格子部は、枠部とともに、交差する縦分画部と横分画部とによって区画が形成されていることを特徴とする請求項１の断熱パネル。
【請求項３】
第１の面板および第２の面板は、合成樹脂発泡体によって形成されていることを特徴とする請求項１または２の断熱パネル。
【請求項４】
請求項１から３のいずれかの断熱パネルを含むことを特徴とする建築材料。
【請求項５】
請求項４の建築材料が建物の下地付近に配設されていることを特徴とする建物の断熱構造。
【請求項６】
請求項１から３のいずれかの断熱パネルが配設されていることを特徴とするコンテナ。
【請求項７】
請求項１から３のいずれかの断熱パネルに補強板が配設されていることを特徴とする断熱板。
【発明の詳細な説明】
【技術分野】
【０００１】
本発明は、建築材料などに利用可能な断熱パネルに関するものである。
【背景技術】
【０００２】
特許文献１には、合成樹脂発泡体（例えば、発泡スチロール）からなる断熱材と粗布と表面材とを積層一体化した断熱パネル（断熱成形板）を建物の下地面に配設する断熱工法が記載されている。この断熱工法では、断熱材として合成樹脂発泡体が利用されているため、軽量で、断熱性と加工性が良好であるとされている。
【先行技術文献】
【特許文献】
【０００３】
【特許文献１】特開平8-1846号公報
【発明の概要】
【発明が解決しようとする課題】
【０００４】
しかしながら、特許文献１の工法に利用される断熱パネルは、通常の合成樹脂発泡体が断熱材として使用されているに過ぎず、十分な断熱効果が確保されているとは言い難い。
【０００５】
建築材料に利用される断熱パネルは、施工、運搬の容易性を確保するために軽量であることが求められるが、製品重量を抑えつつも優れた断熱効果を有する断熱パネルはこれまでに知られていない。
【０００６】
本発明は、以上のような事情に鑑みてなされたものであり、軽量で優れた断熱効果を有する断熱パネルを提供することを課題としている。
【課題を解決するための手段】
【０００７】
上記の課題を解決するため、本発明の断熱パネルは、第１の面板と第２の面板との間に、合成樹脂発泡体によって形成された格子部が挟持された断熱パネルであって、格子部によって形成された複数の区画では、隣接する区画間の空気の流れが遮断されているとともに、第１の面板の外面と内面および第２の面板の外面と内面のうちの少なくともいずれかには断熱塗料が塗布されていることを特徴としている。
【０００８】
この断熱パネルでは、格子部は、交差する縦分画部と横分画部とによって区画が形成されていることが好ましい。
【０００９】
この断熱パネルでは、第１の面板および第２の面板は、合成樹脂発泡体によって形成されていることがより好ましい。
【００１０】
本発明の建築材料は、前記の断熱パネルを含むことを特徴としている。
【００１１】
本発明の建物の断熱構造は、前記の建築材料が建物の下地付近に配設されていることを特徴としている。
【００１２】
本発明のコンテナは、前記の断熱パネルが配設されていることを特徴としている。
【００１３】
本発明の断熱板は、断熱パネルに補強板が配設されていることを特徴としている。
【発明の効果】
【００１４】
本発明の断熱パネルは、軽量であるため、施工や運搬が容易であるとともに、優れた断熱効果を奏するため、例えば、断熱材などの建築材料に好適に利用することができる。また、本発明の断熱パネルをコンテナに配設することで、断熱性に優れたコンテナを提供することができる。
【図面の簡単な説明】
【００１５】
【図１】本発明の断熱パネルの一実施形態を例示した分解斜視図である。
【図２】本発明の断熱パネルの一実施形態を例示した正面図である。
【図３】図２に例示した本発明の断熱パネルのＡ−Ａ’断面図である。
【図４】本発明の断熱パネルの使用形態を例示した断面概要図である。
【発明を実施するための形態】
【００１６】
図１は、本発明の断熱パネルの一実施形態を例示した分解斜視図である。図２は、本発明の断熱パネルの一実施形態を例示した正面図である。図３は、図２に例示した本発明の断熱パネルのＡ−Ａ’断面図である。
【００１７】
図１、図２および図３に例示したように、断熱パネルＰは、第１の面板１と第２の面板２との間に、合成樹脂発泡体からなる格子部３が挟持された積層構造を有している。
【００１８】
格子部３を形成する合成樹脂発泡体には、発泡スチロール（ポリスチレンフォーム）、硬質発泡ポリエチレン、硬質ウレタン発泡体などの他、ガラスバルーンやシリカバルーンなどの中空体からなる軽量骨材を樹脂バインダーで成形したものなども含まれる。格子部３は、合成樹脂発泡体によって形成されているため、軽量で断熱性に優れている。
【００１９】
格子部３は、方形状の枠部３１の内側において、対向する枠部３１同士を接続する縦分画部３２と横分画部３３とが直交しており、この縦分画部３２と横分画部３３によって囲まれた複数の区画Ｓが形成されている。
【００２０】
第１の面板１と第２の面板２の材料も、格子部３と同様に、公知の合成樹脂発泡体を好ましく例示することができる。
【００２１】
第１の面板１と第２の面板２の形状は特に限定されないが、例えば、互いに略同一な方形状であることが好ましい。さらに、第１の面板１と第２の面板２の厚さも特に限定されず、断熱パネルＰの断熱効果などを考慮して適宜設計することができる。また、第１の面板１と第２の面板２の厚さは、互いに異なる厚さで形成されていてもよい。
【００２２】
第１の面板１の外面１aと内面１bおよび第２の面板２の外面２aと内面２bの少なくともいずれかの面には、断熱塗料が塗布されている。ここで、「外面」とは、断熱パネルＰの外側（表側）に表出する面をいい、「内面」とは、第１の面板１と第２の面板２との間に挟持された格子部３と当接する面をいう。
【００２３】
断熱塗料は、水性塗料、有機溶媒型塗料、粉体塗料のいずれの形態であってもよいが、溶媒又は分散媒を含む液状塗料であることが望ましい。例えば、断熱塗料は、ビヒクルと、ビヒクルを溶解又は分散する液状媒体と、金属粉末とを含むことができる。
【００２４】
ビヒクルとしては、アクリル樹脂、ポリ酢酸ビニル樹脂、塩化ビニル樹脂、塩化ビニリデン樹脂、熱可塑性エラストマなどの熱可塑性樹脂、ＢＲ、ＳＢＲ、ＮＢＲ、ＣＲ、ＥＰＤＭ、フッ素ゴムなどのゴム類など、溶媒又は分散媒が蒸発することで被膜を形成するものを用いることができる。場合によっては、ポリオールとイソシアネートからなるウレタン樹脂、フェノール樹脂、エポキシ樹脂などの熱硬化性樹脂を用いることもできる。
【００２５】
ビヒクル及び液状媒体としては、水系エマルジョンを用いることが特に好ましい。水系エマルジョンとしては、アクリルエマルジョン、シリコンアクリルエマルジョン、ウレタンエマルジョン、ウレタンアクリルエマルジョン、ＳＢＲエマルジョン、エポキシエマルジョンなどが例示され、また、水ガラス、コロイダルシリカなどの無機バインダも用途に応じて各種選択して用いることができる。
【００２６】
金属粉末は、熱反射性を有するものであって、チタン、アルミニウム、金、銀、インジウム、銅およびこれらの酸化物などの粉末が例示される。また、厳密な意味では金属ではないが、本発明では、表面に金属光輝層を形成し熱反射性を有する、シリカ、ガラス、マイカ、タルクなどの粉末も金属粉末に含むものとする。金属粉末の形状は特に限定されないが、例えば、球状、鱗片状などの形状を例示することができる。さらに、断熱性を確保するためには、金属粉末は、断熱塗料中に２０質量％以上含まれていることが好ましい。
【００２７】
好ましい断熱塗料５１としては、具体的には、断熱効果に加え、抗菌・消臭効果に優れたものとして、高圧ガス工業株式会社製（発売元n-tech株式会社）「Blue on Tech」などを例示することができる。
【００２８】
塗布される断熱塗料の厚さは、特に限定されず、断熱効果を考慮して適宜設計することができる。一応の目安としては、例えば、１０μｍ〜４００μｍ程度の範囲を例示することができる。また、断熱塗料の塗布方法も特に限定されず、スプレーによる吹き付けや、ローラーによる塗布などを行うことができる。
【００２９】
第１の面板１と第２の面板２の間に格子部３を挟持する際には、例えば、公知の接着剤などを適宜使用し、第１の面板１、第２の面板２の間および格子部３を互いに接着し、連結することが好ましい。
【００３０】
断熱パネルＰは、その内部に、第１の面板１と第２の面板２の間に挟持された格子部３によって、空気を内包する複数の区画Ｓが形成されており、隣接する区画間の空気の流れが遮断されている。このため、断熱パネルＰは、軽量であるものの、格子部３によって形成された空気の層によって外部からの熱が及びにくく断熱性に優れている。
【００３１】
さらに、断熱パネルＰは、第１の面板１の外面１aと内面１bおよび第２の面板２の外面２aと内面２bに断熱塗料が塗布されている場合には、４層の断熱塗料層が形成されており、断熱効果が格段に向上する。
【００３２】
本発明の断熱パネルＰは、軽量であるとともに優れた断熱効果を有するため、例えば建築材料などとして有効に利用することができる。具体的には、例えば、建物の壁面、天井、床面などの下地（壁）付近に本発明の断熱パネルＰを配設することで、建物の断熱構造を構築することができ、夏場の室内温度の上昇、冬場の室内温度の低下を抑制することができる。また、本発明の断熱パネルＰは軽量であるため施工性にも優れている。
【００３３】
さらに、例えば、本発明の断熱パネルＰは、貨物の運搬のための車両、船舶などのコンテナの内面などに配設することで、断熱効果に優れたコンテナとすることができる。このため、従来、保冷車を使用して輸送していた貨物を、通常の貨物車両で輸送することもできるため、輸送コストのカット、輸送の効率化が図られる。
【００３４】
さらに、本発明の断熱パネルは、コンテナや倉庫の内面、建物下地などに配設する場合には、例えば、接着剤などを使用して、本発明の断熱パネルの片面または両面に木質板（例えばベニヤ板など）や各種の金属薄板などの補強板を接着して一体化させた断熱板として利用することもできる。
【００３５】
具体的には、例えば、図４に例示したように、本発明の断熱板は、断熱パネル１がコンテナの内面や建物の下地面などの配設面Ｈ側に位置し、補強板４が断熱パネル１の外側に位置するように配設することができる。このように、断熱パネル１とともに補強板４を配設することで、断熱パネル１による断熱性を確保しつつ、衝撃強度を高めることができる。このため、例えば、本発明の断熱板（補強板４が配設されている断熱パネル１）を内面に備えたコンテナは、断熱性に優れるとともに、コンテナ内の貨物などによって断熱パネル１が損傷するのが抑制されるため、特に好ましい。
【００３６】
本発明の断熱パネルなどは、以上の実施形態に限定されるものではない。例えば、断熱パネルの格子部に形成される区画の数や配置などは、断熱パネルの強度や断熱性を考慮して適宜設計することができる。また、格子部は、例えば、縦分画部のみで形成された縦長な区画を有するものや、横分画部のみで形成された横長な区画を有するものであってもよい。
【実施例】
【００３７】
以下、実施例により本発明をさらに詳しく説明するが、本発明はこれらの実施例に何ら限定されるものではない。
＜１＞断熱効果の確認実験
（１）図１〜図３に例示した形態の断熱パネルについて、断熱効果の確認実験を行った。
【００３８】
＜実施例１＞
大小２つの発泡スチロール製の箱体を用意し、それぞれの箱体の外面および内面に、断熱塗料と塗布した。断熱塗料は、高圧ガス工業株式会社製（発売元n-tech株式会社）「Blue on Tech」を使用した。この断熱塗料は、優れた断熱効果に加え、酸化チタンおよびシリカの配合による、有機物分解作用、抗菌作用を有し、また、金属イオン配合および銀系統の無機物微粒子の配合によってその抗菌性がさらに向上している。このような優れた抗菌作用を有することから、雑菌の繁殖を防ぎ、消臭効果があるため、衛生面でも優れている。
【００３９】
そして、大きな箱体を外箱とし、この大きな箱体の内側に小さな箱体を内箱として配置した。そして、この外箱と内箱の間に、発泡スチロール製の格子部を配置して外箱と内箱を連結し、外箱と内箱の間に空気の流れが遮断された複数の区画を形成した。
【００４０】
このような二重箱構造を有する箱体は、外箱を第１の面板、内箱を第２の面板として、その間に格子部が挟持された構造として考えることができるため、本発明の断熱パネルの断熱効果の確認実験に利用することができる。
【００４１】
＜比較例１＞
格子部を備えておらず、断熱塗料の塗布も行っていない、通常の発泡スチロール箱を使用した。
（２）実施例１の断熱パネルを模した箱体および比較例１の発泡スチロール箱のそれぞれの内部に１０００ｇの氷を入れて密封し、外部からヒーターによる熱を均等に加えて、箱の外側をおよそ２５℃に加温し、所定時間経過後に残存する氷の量を測定した。
【００４２】
＜２＞結果
結果を表１に示す。
【００４３】
【表１】
2015155591.tif 000003
【００４４】
表１に示したように、比較例１の発泡スチロール箱では、３４．８％の氷が解けてしまい、残った氷は少なかった。
【００４５】
一方、実施例１の断熱パネルを模した箱体では、７２６ｇの氷が残存しており、溶けた氷の量を２７．４％に抑えることができた。したがって、格子部によって形成された区画に保持されている空気と、外箱および内箱に塗布された断熱塗料によって優れた断熱効果が発揮されることが確認された。
【符号の説明】
【００４６】
１  第１の面板
２  第２の面板
３  格子部
３１  枠部
３２  縦分画部
３３  横分画部
Ｐ    断熱パネル
Ｓ  区画
【図１】
2015155591.tif 000004
【図２】
2015155591.tif 000005
【図３】
2015155591.tif 000006
【図４】
2015155591.tif 000007